(57)【要約】【課題】異物侵入防止パネルを折り畳むことで小型化し、携帯することを容易にした異物侵入防止パネルを提供する。【解決手段】異物侵入防止パネル１において、矩形状の正面パネル１０と、正面パネル１０の左右の辺と一体に連結した左右一対の側面パネル２０、３０と、正面パネル１０の上辺と一体に連結した矩形状の天井パネル４０とを備え、一辺が天井パネル４０の左右の辺と一体に連結するととともに他の一辺が側面パネル２０、３０の上縁部に着脱自在に連結する略三角形状の左右一対の連結パネル５０を備えるとともに、正面パネル１０は、矩形状の左正面パネル１０ａと矩形状の右正面パネル１０ｂとを折り畳み可能に一体に連結して形成し、天井パネル４０は、矩形状の左天井パネル４０ａと矩形状の右天井パネル４０ｂとを折り畳み可能に一体に連結して形成した。【選択図】図１
0003230164.tif 000002
【実用新案登録請求の範囲】
【請求項１】
矩形状の正面パネルと、正面パネルの左右の辺と一体に連結した左右一対の側面パネルと、正面パネルの上辺と一体に連結した矩形状の天井パネルとを備え、正面パネル・側面パネル・天井パネルにより囲繞された空間への異物の浸入を防止する異物浸入防止パネルであって、
一辺が前記天井パネルの左右の辺と一体に連結するとともに他の一辺が側面パネルの上縁部に着脱自在に連結する略三角形状の左右一対の連結パネルを備えるとともに、
前記正面パネルは、矩形状の左正面パネルと矩形状の右正面パネルとを折り畳み可能に一体に連結して形成され、
前記天井パネルは、矩形状の左天井パネルと矩形状の右天井パネルとを折り畳み可能に一体に連結して形成されている
ことを特徴とする異物侵入防止パネル。
【請求項２】
前記天井パネルの上辺中央部には、天井パネルが展開状態で維持される方向に前記左天井パネル及び右天井パネルを付勢する展開状態維持部材が設けられている
ことを特徴とする請求項１記載の異物侵入防止パネル。
【請求項３】
前記展開状態維持部材は、弾性変形可能な横長の板状部材からなり、一端部が前記左天井パネル又は右天井パネルの一方と一体に連結しており、且つ、他端部が前記左天井パネル又は右天井パネルの他方と着脱自在に連結可能に形成されている
ことを特徴とする請求項２記載の異物侵入防止パネル。
【請求項４】
前記正面パネルの下辺中央部には、異物侵入防止パネルの転倒を防止する転倒防止部材が設けられている
ことを特徴とする請求項１乃至３何れか１項記載の異物侵入防止パネル。
【請求項５】
前記転倒防止部材は、弾性変形可能な横長の板状部材からなり、中央部が前記正面パネルと一体に連結しており、且つ、板状部材が環状となるよう弾性変形させた状態で両端部を互いに着脱自在に連結可能に形成されている
ことを特徴とする請求項４記載の異物侵入防止パネル。
【考案の詳細な説明】
【技術分野】
【０００１】
本考案は、例えば料理などに、飛沫などの異物が侵入することを防止する異物侵入防止パネルに関する。
【背景技術】
【０００２】
今日、世界ではインフルエンザウィルスや新型コロナウィルス等の感染症の拡散が問題になっている。このような感染症の拡散を防ぐためには、他人から飛散した飛沫を自らの体内に取り込んでしまうことを防止することが重要である。そのため、特に食事の際は、料理に飛沫がかかってしまうことを防ぐための異物侵入防止パネルが求められていた。
【０００３】
この種の異物侵入防止パネルとしては、１枚の矩形状の板状部材からなり、この板状部材が、正面板と、左右の側面板と、天井板とに折り曲げ線を介して仕切られているものが知られている（例えば特許文献１参照）。この異物侵入防止パネルは、卓上において、人と人との対面位置に設置されて使用される。これにより、例えば机を介して人と対面し会話する際、相手から発せられる飛沫を遮断することができる。また、正面板の左右には、側面板を有しているため、横方向からの飛沫に対しても飛沫を遮断することができる。この異物侵入防止パネルは、例えば樹脂等の透明または半透明の素材からなり、対面する相手の様子を容易に視認することができる。このような理由からこの異物侵入防止パネルは、対面販売などの接客業務で使用されることが多い。
【０００４】
また、この異物侵入防止パネルは、正面板に対して左右の側面板および天井板を折り畳むことでコンパクト化できるようになっている。
【先行技術文献】
【特許文献】
【０００５】
【特許文献１】実用新案登録第３１５２４９３号公報
【考案の概要】
【考案が解決しようとする課題】
【０００６】
しかしながら、上記の異物侵入防止パネルは、正面板を折り畳むことができないため、異物侵入防止パネルの左右の側面板および天井板のみ折り畳んだとしても、充分に小型化ができず、携帯性に欠けるという問題点があった。
【０００７】
本考案は上記事情に鑑みてなされたものであり、その目的とするところは、正面板に対して左右の側面板および天井板を折り畳み可能にした異物侵入防止パネルにおいて、より小型化することができるものを提供することにある。
【課題を解決するための手段】
【０００８】
上記目的を達成するために、本願考案は、矩形状の正面パネルと、正面パネルの左右の辺と一体に連結した左右一対の側面パネルと、正面パネルの上辺と一体に連結した矩形状の天井パネルとを備え、正面パネル・側面パネル・天井パネルにより囲繞された空間への異物の浸入を防止する異物浸入防止パネルであって、一辺が前記天井パネルの左右の辺と一体に連結するとともに他の一辺が側面パネルの上縁部に着脱自在に連結する略三角形状の左右一対の連結パネルを備えるとともに、前記正面パネルは、矩形状の左正面パネルと矩形状の右正面パネルとを折り畳み可能に一体に連結して形成され前記天井パネルは、矩形状の左天井パネルと矩形状の右天井パネルとを折り畳み可能に一体に連結して形成されていることを特徴とした。
【０００９】
これにより、左側面パネル、右側面パネルおよび天井パネルが正面パネルに対して折り畳み可能に形成されるとともに、正面パネルを折り畳むことができる。
【考案の効果】
【００１０】
本考案によれば、異物侵入防止パネルの正面パネルも折り畳むことができるので、異物侵入防止パネルをより小型化することができ、携帯性が高まる。
【図面の簡単な説明】
【００１１】
【図１】本考案の一実施形態に係る異物侵入防止パネルを組み立てた状態の斜視図
【図２】異物侵入防止パネルを組み立てた状態の背面斜視図
【図３】異物侵入防止パネルを組み立てた状態の正面図
【図４】異物侵入防止パネルの展開図
【図５】異物侵入防止パネルの折り畳み方法を説明する図
【図６】異物侵入防止パネルの使用形態図
【考案を実施するための形態】
【００１２】
本考案の一実施の形態に係る異物侵入防止パネルについて図面を参照して説明する。図１は異物侵入防止パネルを組み立て状態の斜視図、図２は異物侵入防止パネルを組み立てた状態の背面斜視図、図３は異物侵入防止パネルの正面図、図４は異物侵入防止パネルの展開図、図５は異物侵入防止パネルの折り畳み方法を説明する図、図６は異物侵入防止パネルの使用形態図である。
【００１３】
本実施の形態に係る異物侵入防止パネル１は、例えばプラスチック等の硬質かつ弾性変形可能な板状部材からなる。異物侵入防止パネル１は、図１〜図４に示すように、矩形状の正面パネル１０と、正面パネル１０の左右の辺と一体に連結した左右一対の側面パネル２０、３０と、正面パネル１０の上辺と一体に連結した矩形状の天井パネル４０とを備えている。また、異物侵入防止パネル１は、天井パネル４０と各側面パネル２０、３０とを連結する左右一対の連結パネル５０を備えている。この異物侵入防止パネル１は、単一の素材からなる板状部材を金型等により打ち抜き加工され成形されている。以下、図４において、紙面手前側の面を正面とし、紙面奥側の面を背面として説明する。この場合、後述する折り曲げ部が奥側になる場合を谷折り、逆の場合は山折りとする。
【００１４】
正面パネル１０は、横長の矩形状に形成されている。正面パネル１０は、縦長の矩形状の左正面パネル１０ａと、縦長の矩形状の右正面パネル１０ｂとを谷折り方向の折り畳み可能に一体に連結して形成されている。左正面パネル１０ａと右正面パネルは同一の寸法である。各正面パネル１０ａ、１０ｂが連結する箇所には折り曲げ線１０ｃが形成されている。換言すれば、正面パネル１０は、折り曲げ線１０ｃを基準として左正面パネル１０ａと右正面パネル１０ｂにより区画されている。正面パネル１０の左右中央下部には、後述する第１の転倒防止部材１１の差込片１１ｃが差し込まれる差込スリット１０ｄが形成されている。
【００１５】
正面パネル１０の下辺中央部には、異物侵入防止パネル１の転倒を防止する第１の転倒防止部材１１が山折り方向の折り返し可能に一体に連結して形成されている。第１の転倒防止部材１１は、弾性変形可能な横長の板状部材からなり、その中央部１１ｃのみが正面パネル１０と連結されている。第１の転倒防止部材１１の左右方向一端部には縦方向にスリット１１ａが形成されるとともに、他端部には前記スリット１１ａと着脱自在に係合するスリット１１ｂが形成されている。第１の転倒防止部材１１の左右中央下辺には、前記正面パネル１０の差込スリット１０ｄに差し込まれる差込片１１ｃが形成されている。
【００１６】
左側面パネル２０は、縦長の矩形状に形成されている。左側面パネル２０の高さ寸法は、左正面パネル１０ａの高さ寸法と同様であり、幅寸法は、左正面パネル１０ａの幅寸法と略同一かわずかに短い程度となっている。左側面パネル２０は、正面パネル１０の左辺と谷折り方向の折り畳み可能に一体に連結して形成されている。また、左側面パネル２０の上辺部には、後述する連結パネル５０の連結片５１に係合する連結穴２１が２カ所形成されている。また、左側面パネル２０の下辺には、略矩形状の第２の転倒防止部材２２が下方に向けて張り出し形成されている。第２の転倒防止部材２２は、左側面パネル２０と一体に形成されており、左側面パネル２０に対して正面側に折り曲げ可能になっている。
【００１７】
右側面パネル３０は、縦長の矩形状に形成されている。右側面パネル３０の高さ寸法は、右正面パネル１０ｂの高さ寸法と同一であり、幅寸法は、右正面パネル１０ｂの幅寸法と略同一かわずかに短い程度となっている。右側面パネル３０は、正面パネル１０の右辺と谷折り方向の折り畳み可能に一体に連結して形成されている。また、右側面パネル３０の上辺部には、後述する連結パネル５０の連結片５１に係合する連結穴３１が２カ所形成されている。また、右側面パネル３０の下辺には、略矩形状の第２の転倒防止部材３２が下方に向けて張り出し形成されている。第２の転倒防止部材３２は、右側面パネル３０と一体に形成されており、左側面パネル３０に対して正面側に折り曲げ可能になっている。
【００１８】
天井パネル４０は、横長の矩形状に形成されている。天井パネル４０の高さ寸法は、正面パネル１０の略半分程度の高さ寸法となっており、幅寸法は、正面パネル１０の幅寸法と同一となっている。天井パネル４０は、横長の矩形状の左天井パネル４０ａと、横長の矩形状の右天井パネル４０ｂとを山折り方向の折り畳み可能に一体に連結して形成されている。各天井パネル４０ａ、４０ｂが連結する箇所には折り曲げ線４０ｃが形成されている。この折り曲げ線４０ｃは、正面パネル１０の折り曲げ線１０ｃと連続している。
【００１９】
天井パネル４０の上辺中央部には、天井パネル４０が展開状態で維持される方向に左天井パネル４０ａ及び右天井パネル４０ｂを付勢する展開状態維持部材４１が形成されている。展開状態維持部材４１は、天井パネル４０に対して谷折り方向の折り返し可能に形成されている。また、展開状態維持部材４１は、弾性変形可能な横長の板状部材からなり、その一端部４１ｂのみが右天井パネル４０ｂと連結されている。一方、展開状態維持部材４１の他端部には、舌片４１ａが形成されている。左天井パネル４０ａの上辺部には、舌片４１ａと着脱自在に係合する係止穴４２が形成されている。なお、展開状態維持部材４１は、折り曲げ線４０ｃを中心として左右反対に形成されていてもよい。
【００２０】
連結パネル５０は、略三角形状に形成されており、一辺が天井パネル４０の左右の辺と一体に連結して形成されている。他の辺であって右側面パネル２０・左側面パネル３０に対向する辺には、前記連結穴２１・連結穴３１に着脱自在に係合する連結片５１が２カ所ずつ形成されている。連結パネル５０は、異物侵入防止パネル１の組み立てた際に、天井パネル２０の上面が斜め上を向くように固定するとともに、側面パネル２０、３０と天井パネル４０の間の隙間を塞ぐ。
【００２１】
以上のように説明した異物侵入防止パネル１は、図３に示すように、正面パネル１０に対して、左側面パネル２０、右側面パネル３０を谷折り方向に折り曲げ、異物侵入防止パネル１設置面と当接させる箇所を略コ字状とするよう組み立てることで卓上の任意の位置に載置できるようになる。この際、天井パネル４０を谷折り方向且つ斜め上方に折り曲げ、連結パネル５０に形成された連結片５１を左右側面パネル２０、３０に形成された連結穴２１、３１に差し込むことで、異物侵入防止パネル１の左右側面パネル２０、３０および天井パネル４０の折り曲げ状態を維持する。これにより、正面パネル１０・側面パネル２０、３０・天井パネル４０により囲繞された空間が形成される。
【００２２】
また、正面パネル１０の第１の転倒防止部材１１全体を背面方向に１８０度折り返し、この折り返した状態が維持されるよう第１の転倒防止部材１１の差込片１１ｃを正面パネル１０の差込スリット１０ｄに差し込む。次に、この状態で第１の転倒防止部材１１を環状となるように弾性変形させ、第１の転倒防止部材１１の両端に形成されたスリット１１ａおよびスリット１１ｂを互いに連結させる。これにより、正面パネル１０の奥側において、異物侵入防止パネル１設置面との当接部を設けることができるため、異物侵入防止パネル１の奥側方向への転倒を防止する。さらに、左側面パネル２０及び右側面パネル３０の第２の転倒防止部材２２，３２をそれぞれ正面側に折り曲げることにより、異物侵入防止パネル１の正面方向への転倒を防止する。
【００２３】
また、天井パネル４０の展開状態維持部材４１全体を正面方向に１８０度折り返し、折り返した状態で展開状態維持部材４１の天井パネル４０との連結部以外の部分を折り返し、係止穴４２に舌片４１ａを差し込む。これにより、左右の天井パネル４０ａ、４０ｂが天井パネル４０の展開状態を維持する左右外側方向に付勢され、異物侵入防止パネル１の組み立て状態が維持される。
【００２４】
また、異物侵入防止パネル１は、図５に示すように、異物侵入防止パネルを展開状態から順に折り畳むことで、正面パネル片面程度の大きさまで小型化可能である。具体的には、天井パネル４０・展開状態維持部材４１・連結パネル５０・第１の転倒防止部材１１・第２の転倒防止部材２２，２３を正面パネル１０側に折り畳み、次いで、連結パネル５０とともに左側面パネル２０及び左側面パネル３０を正面パネル１０側に折りたたむ。最後に、内側に天井パネル４０等がくるように左正面パネル１０ａと右正面パネル１０ｂを折りたたむ。
【００２５】
上述したように変形させた異物侵入防止パネル１は、図６に示すように、卓上の料理Ａを囲うように任意の位置に設置されて使用される。これにより、例えば対面の人から発せられる飛沫をパネルが遮断し、料理Ａへの飛沫の侵入を防止することができる。
【００２６】
このように本願考案では、矩形状の正面パネル１０と、正面パネル１０の左右の辺と一体に連結した左右一対の側面パネル２０、３０と、正面パネル１０の上辺と一体に連結した矩形状の天井パネル４０とを備え、正面パネル１０・側面パネル２０、３０・天井パネル４０により囲繞された空間への異物の浸入を防止する異物浸入防止パネル１であって、一辺が天井パネル４０の左右の辺と一体に連結するととともに他の一辺が側面パネル２０、３０の上縁部に着脱自在に連結する略三角形状の左右一対の連結パネル５０を備えるとともに、正面パネル１０は、矩形状の左正面パネル１０ａと矩形状の右正面パネル１０ｂとを折り畳み可能に一体に連結して形成され、天井パネル４０は、矩形状の左天井パネル４０ａと矩形状の右天井パネル４０ｂとを折り畳み可能に一体に連結して形成されていることを特徴としたので、正面パネル１０に対して、左側面パネル２０、右側面パネル３０および天井パネル４０が折り畳み可能であるとともに、正面パネル１０も折り畳み可能となる。
【００２７】
本願考案によれば、正面パネル１０まで折り畳むことで、異物侵入防止パネル１をより小型化することができ、携帯することが容易になる。
【００２８】
また、本願考案によれば、異物侵入防止パネル１は、天井パネル４０が斜め上方を向いた状態で異物侵入防止パネル１の組み立て状態が維持されるので、天井パネル４０が水平であった場合よりも囲繞された空間が大きくなり、利便性が高い。
【００２９】
以上、本考案の一実施の形態について詳述したが、本考案は上記実施の形態に限定されるものではなく、本考案の主旨を逸脱しない範囲において、種々の改良や変更をしてもよい。
【００３０】
例えば、上記実施の形態では、料理への飛沫の浸入を防止することを主目的とした使用形態について説明したが、他の目的で使用することもできる。
【符号の説明】
【００３１】
１…異物侵入防止パネル
１０…正面パネル
１０ａ…左正面パネル
１０ｂ…右正面パネル
１１…第１の転倒防止部材
２０…左側面パネル
２１…連結穴
２２…第２の転倒防止部材
３０…右側面パネル
３１…連結穴
３２…第２の転倒防止部材
４０…天井パネル
４０ａ…左天井パネル
４０ｂ…右天井パネル
４１…展開状態維持部材
４１ａ…舌片
４２…係止穴
５０…連結パネル
５１…連結片
【図１】
0003230164.tif 000003
【図２】
0003230164.tif 000004
【図３】
0003230164.tif 000005
【図４】
0003230164.tif 000006
【図５】
0003230164.tif 000007
【図６】
0003230164.tif 000008